(57)【要約】      （修正有）【課題】カッティングによる刻み目の程度を低減し、またブレードセットのカッティングゾーン内への髪の保持を有効にガイドすることが可能なブレード歯構造を持つ電気ヘアトリマーを提供する。【解決手段】ヘアトリマー用ブレードセット１６は、複数の静止ブレード歯５０を有する静止ブレード１８と複数の可動ブレード歯５２を有する可動ブレード２０からなり、静止ブレード１８に対して可動ブレード２０を横方向に往復動させて毛髪を切断する構造になっている。この可動ブレード歯５２は静止ブレード歯５０を越えて伸び、可動ブレード歯５２と静止ブレード歯５０とが重なるカッティングゾーンを形成する。さらにこれらのブレード歯は髪の房を上記カッティングゾーンの方へガイドして髪の房をこのカッティングゾーン内に保持するよう構成されている。【選択図】図６
2005144166.tif 000002
【特許請求の範囲】
【請求項１】
バリカン用ブレードセットであって、
複数の静止ブレード歯を有する少なくとも１つの静止ブレードと、
複数の可動ブレード歯を有し、該ブレード歯の間の毛をカッティングするために、前記少なくとも１つの静止ブレードに対して横方向に往復動するために構成された少なくとも１つの可動ブレードとを備え、前記可動ブレード歯が、前記静止ブレード歯を越えて伸び、前記少なくとも１つの可動ブレードと、前記少なくとも１つの静止ブレードの前記歯とが重なる領域にカッティングゾーンを形成し、前記少なくとも１つのブレード歯が、少なくとも髪の房を前記カッティングゾーンの方にガイドして、前記カッティングゾーン内に髪の房を保持するブレードセット。
【請求項２】
前記少なくとも１つの静止ブレード歯が、先端を切った先端部を有する、請求項１に記載のブレードセット。
【請求項３】
前記構造が、前記少なくとも１つの静止ブレード歯の少なくとも１つの側方縁部上にアンダーカット部を備える、請求項１に記載のブレードセット。
【請求項４】
前記少なくとも１つの静止ブレード歯の少なくとも１つの側方縁部上の前記アンダーカット部によって画成されるくびれ部をさらに含み、前記少なくとも１つの静止ブレード歯が、前記くびれ部よりも長い先端を切った先端部を有する、請求項３に記載のブレードセット。
【請求項５】
前記少なくとも１つの可動ブレード歯の側方縁部が、前記少なくとも１つのアンダーカット部の側方縁部に概して平行である、請求項３に記載のブレードセット。
【請求項６】
前記少なくとも１つの可動ブレード歯の側方縁部と、前記少なくとも１つのアンダーカット部の側方縁部とが、相接して逆方向の刈り込み動作を生じる、請求項３に記載のブレードセット。
【請求項７】
前記少なくとも１つのアンダーカット部の側方縁部によって画成される角度が、前記少なくとも１つの可動ブレード歯の側方縁部によって画成される角度よりも大きい、請求項６に記載のブレードセット。
【請求項８】
ハウジングと、
前記ハウジングと関連し、軸を有する、概して細長いハンドルと、
前記ハウジングと関連し、かつ少なくとも１つの静止ブレードと、前記ブレード間で毛をカッティングするために、前記静止ブレードに対して横方向に往復動するために構成された少なくとも１つの可動ブレードとを有し、前記往復動がカッティングラインを定めるブレードセットとを備え、
前記カッティングラインが、前記ハンドルの前記軸と概して平行であり、前記ブレードセットが、少なくとも第１の位置と第２の位置との間で前記ハウジングに対して回転可能に係合するように構成されており、前記位置の両方において、前記カッティングラインが、前記ハンドルの軸に概して平行である、バリカン。
【請求項９】
前記ブレードセットが、前記ハウジングの少なくとも１つのコンポーネントによって、前記ハンドルの軸から横方向に転位している、請求項８に記載のバリカン。
【請求項１０】
前記ブレードセットの構造が、全周回転を可能にするために、前記ハウジングに対して回転可能に配置されている、請求項８に記載のバリカン。
【請求項１１】
前記ハンドルが、前記ブレードセットがアタック角度で、使用者の頭に対して位置決め可能であり、前記角度が、前記第１及び第２の位置において矛盾しないように、セルフカッティングのために、使用者によって右手及び左手のうちの一方で保持されるように構成されている、請求項８に記載のバリカン。
【請求項１２】
前記ブレードセットが、前記ハンドルの軸に概して平行な面内で回転するように、前記ハウジング上に回転可能に配置されている、請求項１１に記載のバリカン。
【請求項１３】
調髪すべき髪の房に対して、ブレードセットを特定のアタック角度に位置決めする工程と、
髪の房を、前記ブレードセットのカッティングゾーンの方にガイドする工程と、髪の房を前記カッティングゾーン内に保持する工程とのうちの一方の工程とを含む、調髪の方法。
【請求項１４】
髪の房の対向する側から、実質的に互いに平行であるブレード縁部をもってくることにより、前記髪の房をカッティングすることをさらに含む、請求項１５に記載の方法。
【請求項１５】
前記特定のアタック角度が、調髪すべき髪の房に実質的に直角である、請求項１３に記載の方法。
【請求項１６】
逆方向の刈り込み動作によって、髪の房をカッティングすることをさらに含む、請求項１３に記載の方法。
【請求項１７】
細長いハンドルと、該ハンドルの長手方向軸に概して平行なカッティングラインを形成する回転可能なブレードセットとを有するヘアトリマーを設けることと、
前記カッティングラインが、使用者の頭部の指定側の方に指向可能であるように前記ブレードセットを回転させることと、
前記頭部の指定側に近い手で前記ハンドルを握ることと、
アタック角度で、前記頭部の指定側において、使用者の髪に対して前記トリマーを往復動させることとを含む、髪をセルフカッティングする方法。
【請求項１８】
前記指定側に対する、手による前記トリマーの使用終了時に、前記頭部の他方の側に対応する第２の位置に前記ブレードセットを回転させることと、
使用者の他方の手によって前記ハンドルを握ることと、
前記他方の手によって、前記アタック角度で、髪に対して前記トリマーを往復動させることとをさらに含む、請求項１７に記載の方法。
【発明の詳細な説明】
【技術分野】
【０００１】
本発明は、電気ヘアトリマーやバリカンに関し、より具体的には、彼または彼女自身で散髪する場合の個人用にデザインされたそのような装置、また、他人の髪をカットするためにデザインされたそのような装置に関する。
【背景技術】
【０００２】
電気ヘアトリマーまたはバリカンは、一般に、他人の髪をスタイリングするためにスタイリスト、理容師または個人によって使用される。しかし、特に自分で散髪するためにデザインされた電気バリカンを実現できることが知られている。１つのそのようなセルフカッティング電気ヘアトリマー（例えば、１９７８年１０月１０日にＳａｎｄｙに対して発行され、本願明細書に援用する、共同で譲渡された米国特許第４，１１８，８６３号明細書参照）は、例えば、職業的な調髪においては、非熟練的な調髪及び髪剃きにとってはいくらか有効である。該米国特許の特徴は、固定されたまたは静止したブレードの比較的短い歯を越して伸びる歯を有する可動ブレードの提供である。そのような構成の一つの利点は、長い可動ブレード歯が、髪を動かして任意にカットするのを補助し、従来のバリカンのように、均一な刈りではなく大ざっぱな調髪を生じることである。しかし、そのようなトリマーは、少なくとも２つの関連する問題を呈する。
【０００３】
上記の米国特許は、上記可動歯と短い静止歯との間の重なり部に形成されたカッティングゾーンに、比較的少量の髪をガイドするように形成された可動歯を有するブレードセットを特徴とする。一般に、このカッティングゾーンの深さは、人の毛の直角方向の径の２〜３倍位である。２本の毛が上記カッティングゾーン内で重なっている場合、１本の毛が、上記静止及び可動歯のいずれかの付け根に最も近い部分にあり、かつ１本の毛が該歯に隣接しているが、該歯の付け根からは離れて、該カッティングゾーンから突き出ている状態の場合には、該突き出ている毛には刻み目がつけられる可能性があり、あるいは、一部分のみがカットされる可能性がある。この刻み目がつけられたまたは部分的にカットされた毛は、調髪後の数日間、２つに裂けたり、抜けたりする可能性があり、好ましくない結果をもたらし、ユーザの毛を失わせることもある。
【０００４】
さらに、少なくともいくつかの一般的な従来のヘアトリマーは、セルフカッティングには不便なように保持されるような形状になっている。より具体的には、該トリマーは、上記ブレードセットのアタックの角度（上記カッティングゾーンの平面及びカットされる髪の房によって形成される角度）が、使用者の頭の後ろの髪のようなカットすべき髪と実質的に垂直になるように保持するのが難しいような形状に形成されている。アタックの角度が実質的に直角ではない場合、毛は、斜角で上記カッティングゾーンに入る。このことは、上述した上記カッティングゾーンにおける重なった毛の問題を悪化させるだけでなく、１本の毛の細長い断面が、上記カッティングゾーンに対して斜角で、該カッティングゾーンの深さを越える可能性がある状況も呈し、上述したのと同様の刻み目が付くまたは部分的なカッティングにつながる。
【０００５】
使用者が、適切なアタック角度で、彼の後頭部をカットしようとする場合、毛首は、一方の側に対して鋭角または上ぞり（コック状態）にしなければならない。尺骨のずれとして知られているこの結果として生じる位置は、特に該位置が長期間にわたって保持される場合に、痛み、不快感、または腱炎を引き起こす可能性のある生化学的ずれである。
【０００６】
このような人間工学的に考慮すべき問題は、他人の髪をカットする際の問題でもある。少なくともいくつかの従来のヘアトリマーは、他人の髪をカットするのに不便なように保持されるような形状に形成されている。これは、特に、使用者が、手および／または腕に関節炎またはけがを負っている等の、手および／または腕の機能が限定されている場合である。
【発明の開示】
【発明が解決しようとする課題】
【０００７】
従って、従来のセルフカッティングヘアトリマーによって生じる、刻み目が付くカッティングおよび／または部分的なカッティングの程度を低減する改善されたセルフカッティングヘアトリマーに対する要求がある。また、ヘアトリマーのブレードセットのカッティングゾーン内への髪のより有効なガイドまたは該カッティングゾーン内での髪の保持を実行する要求がある。さらに、セルフカッティングのために該トリマーを保持したときに、またはスタイリストが他人の髪をカッティングするときに、使用者に対して不快感を与えることなく、ブレードセットのアタック角度が、頭の全領域で、カットされる毛に対して実質的に直角であるように、自己使用者またはヘアスタイリストによって保持が可能なヘアトリマーに対する要求もある。
【課題を解決するための手段】
【０００８】
本発明は、特に、髪の房をカッティングゾーンの方にガイドし、かつ髪の房を該カッティングゾーン内に保持するように構成されたブレード歯を含むブレードセットを用いて、上述した要求に対処する。髪の房を該カッティングゾーンにより有効にガイドして保持することにより、より完璧なヘアカッティングを実現することができる。本発明のヘアトリマーの他の特徴は、概して細長いハンドルと共にカッティングラインを形成するように構成されたハウジングであり、該ハウジングは、該トリマーが、使用者自身のどちらかの手によって保持されている場合に、該使用者自身の頭の全ての部分においてカットされる毛に対して実質的に直角な、ブレードセットのアタック角度も形成する。別の実施形態においては、上記トリマーは、他人の髪をカットすることができ、かつ所望のアタック角度を得ることができるようなハンドル構成を備えている。両実施形態とも、オペレータの人間工学的ストレスを低減するように構成されたハンドル形状を特徴とする。
【０００９】
より具体的には、ヘアトリマー用ブレードセットは、複数の静止ブレード歯を有する静止ブレードと、複数の可動ブレード歯を有する可動ブレードとを含む。該可動ブレードは、該静止ブレードに対して横方向に往復動させて、その歯と該静止ブレード歯との間で毛をカットするために構成されている。該可動ブレード上の歯は、該静止ブレード歯を越えて伸び、該可動ブレード歯と該静止ブレード歯とが重なるカッティングゾーンを形成する。さらに、該ブレード歯は、髪の房を上記カッティングゾーンの方へガイドして、髪の房を該カッティングゾーン内に保持するように構成されている。
【発明を実施するための最良の形態】
【００１０】
図１〜図３について説明すると、本発明の好適な実施形態は、ハンドル１４とブレードセット１６とを有するハウジング１２を含む、符号１０で示されるヘアトリマーである。ハンドル１４は、概して細長く、かつ長手方向軸を有する。ブレードセット１６には、静止ブレード１８と可動ブレード２０とが含まれている。可動ブレード２０は、該静止ブレードと該可動ブレードとの間で毛をカットするために、静止ブレード１８に対して横方向に往復動するために構成されている。そのような横方向の往復動は、ハンドル１４の軸に対して概して平行であるカッティングライン「Ｌ」を定める（図２）。
【００１１】
好適な実施形態において、ブレードセット１６は、ハウジング１２の転位コンポーネント２２によって、ハンドル１４の軸から横方向に転位している。該転位コンポーネント上には、オン／オフスイッチ２４と、ロックアクチュエータ２６とが含まれている。ロックアクチュエータ２６を押圧すると、ブレードアセンブリ２８の回転が可能になり、該ブレードアセンブリは、ブレードセット１６のためのマウントとして機能する。
【００１２】
上記好適な実施形態において、ハウジング１２の一部であるブレードアセンブリ２８は、２つの位置の間で、該ハウジングの転位コンポーネント２２上に回転可能に係合するように構成されている。好ましくは、該位置は、互いに１８０°離れている。しかし、代替の角度転位及びブレードアセンブリ２８のための追加的な位置が、用途により意図されている。それら２つの好適な位置のいずれかにおいて、可動ブレード２０の静止ブレード１８に対する横方向の往復動作によって定められた上記カッティングライン「Ｌ」は、概してハンドル１４の軸に平行である。
【００１３】
次に、図３について説明すると、ブレードアセンブリ２８の後方壁部３０は、転位コンポーネント２２の前方壁部３６の前方壁部延長部３４に形成された溝３２に捕捉されて回転可能に係合する開口部３１を画成する。上記カッティングライン「Ｌ」が、そこの位置において、ハンドル１４の軸に概して平行である２つの位置のいずれかにおいて、ブレードアセンブリ２８は、前方壁部延長部３４における回り止め４０に、ロックアクチュエータ２６のロック延長部３８の係合によって保持される。それら２つの位置のいずれかに位置させるために、ブレードセット１６を有するブレードアセンブリ２８は、１８０°離れている２つの回り止め４０のうちの一方または他方に到達するために、全周回転してもよい。ロックアクチュエータ２６にばねで付加をかけると、不必要な回転を防ぐために、ユーザが押圧しない場合、該ロックアクチュエータが係合位置に保持される。
【００１４】
次いで、図４について説明すると、ブレードアセンブリ２８は、他方の位置を仮想線で示した状態で、２つの好適な位置のうちの一方に示されている。ここで図示した好適な実施形態においては、ブレードアセンブリ２８は、ブレードセット１６が、転位コンポーネント２２の垂直な中心面からずれているような形状に形成されている。また、ブレードセット１６のアタック角度は、使用者自身が、本質的に、ブレードアセンブリ２８を上記２つの好適な位置のうちの一方に回転させた状態で、上記ヘアトリマーを保持した際に、カットすべき髪の房に対して実質的に直角である。個人的に、およびグループとして、ヘアトリマー１０を保持するための多様な固有の状態を有する使用者自身に対して柔軟性を与えるために、好適には、追加的な回り止め４０によって指示されるブレードアセンブリ２８のための追加的な位置を設けてもよいことが意図されている。それらの追加的な回り止め４０も、他人の髪をカットするためにトリマー１０を使用する該トリマーの使用者に対して同様の柔軟性を与える。したがって、図４に示された位置から９０°の転位へのブレードセットアセンブリ２８の回転も意図されている（図１１及び１２）。また、ブレードセット１６は、ブレードセット１６が、概して、ハンドル１４の軸に平行である平面内で回転するように、ハウジング１２上に回転可能に配置されている。
【００１５】
ヘアトリマー１０の使用者は、ブレードセット１６が、調髪すべき髪に対する特定のアタック角度にあるように、セルフカッティングのために、右手または左手のいずれかで該トリマーをハンドル１４を保持してもよい。本発明の特徴は、このアタック角度が、ブレードセット１６が、上記２つの位置のうちのいずれかにあるときに矛盾しないことである。
【００１６】
再び図３について説明すると、転位コンポーネント２２は、可動ブレード２０の横方向の往復動を駆動する電気モータ４２を包囲している。当該技術分野においては公知であるように、電気モータ４２は、該モータの駆動軸または電機子に接続された偏心カム４４を回転させる。偏心カム４４を可動ブレード２０に結合するカム従動部４６は、偏心カム４４の回転を、該可動ブレードの横方向の往復動に変換する。ばね４８または少なくとも１つの同等のバイアス要素は、静止ブレード１８に抗して可動ブレード２０に力を作用させて、可動ブレード２０と該静止ブレードとの間に切断応力を生成する。
【００１７】
次に、図５、６及び７について説明すると、本発明の別の特徴は、ブレードセット１６の構造に関する。好適な実施形態において、静止ブレード１８は、複数の静止ブレード歯５０を有し、可動ブレード２０は、複数の可動ブレード歯５２を有する。
【００１８】
当該技術分野においては公知であるように、可動ブレード２０は、静止ブレード１８に対して横方向に往復動して、その歯５２と静止ブレード歯５０との間の刈り取り動作で毛をカットするために構成されている。セルフカッティングのためにデザインされた、変わった構造において、可動ブレード歯５２は、比較的短い静止ブレード歯５０よりもかなり長く、かつ該比較的短い静止ブレード歯を通り越して伸び、可動ブレード歯５２と静止ブレード歯５０とが重なるカッティングゾーン「Ｚ」（図７）を形成する。ブレードセット１６の重要な特徴は、ブレード歯５０、５２が、髪の房をカッティングゾーン「Ｚ」の方へガイドして、髪の房をカッティングゾーン「Ｚ」内に保持するように構成されていることである。
【００１９】
好適な実施形態においては、静止ブレード歯５０の数が、可動ブレード歯５２の数よりも少なく、かつ歯間間隔がその関係を反映し、歯５０、５２の相対数が、用途に適するように変化してもよいことが意図されている。また、静止ブレード歯５０は、好ましくは、先端が切られた先端部５４を有する。静止ブレード歯５０の両側は、アンダーカット部５６である。アンダーカット部５６には、少なくとも１つのへこみが形成されており、また好ましくは、静止ブレード歯５０の先端が切られた先端部５４と直角なラインと鋭角αを形成する、各静止ブレード歯５０の各側方縁部５８が形成されている。製造時の制限により、アンダーカット部５６には、好ましくは、丸みがつけられているが、該アンダーカット部は、他の形状で形成されて、同様の利点を得てもよいことが意図されている。アンダーカット部５６及び側方縁部５８は、各静止ブレード歯５０にくびれ部６２を画成する。好適な実施形態においては、各静止ブレード歯５０の先端が切られた先端部５４は、くびれ部６２よりも長く、該先端部はさらに、アンダーカット部５６の「アンダーカット」性を決定する。
【００２０】
各可動ブレード歯５２の側方縁部６４は、該可動ブレード歯の底部または基部６６に対して直角なラインと角度βを形成する。本発明の一つの実施形態においては、角度α及びβは、静止ブレード歯５０の側方縁部５８が、可動ブレード歯５２の最も近い側方縁部６４と概して平行であるように略等しい。カッティングは、髪の房の対向する側から、実質的に互いに平行であるブレード側方縁部５８及び６４をもってくることにより実行される。側方縁部５８と側方縁部６４とが相接して、「逆方向の刈り込み動」を実行できることも意図されている。換言すれば、角度αは、角度βよりも大きい。したがって、髪の房のカッティング動作は、歯５０、５２の各付け根６８、７０の近傍で行われる。このカッティング動作は、本発明のブレードセット１６による髪の房の保持及び完璧なカッティングを容易にする。
【００２１】
次に図８〜図１０について説明すると、種々の握り方及び位置で本発明のバリカン１０を保持して使用する使用者自身が示されている。図８においては、左手でバリカン１０を保持し、該バリカンを用いて、頭部の左側の毛を刈り込む使用者自身が図示されている。図９においては、右手でバリカン１０を保持し、該バリカンを用いて、頭部の右側の毛を刈り込む使用者自身が図示されている。図８において、ブレードセット１６を有するブレードアセンブリ２８は、上述した２つの位置のうちの一方に回転し、また図９においては、ブレードセット１６を有するブレードアセンブリ２８は、上述した２つの位置のうちの他方に回転する。また上述したように、ブレードアセンブリ２８は、ロック延長部３８と選択された回り止め４０との相互作用によって、選択された回転位置に保持される。図１０は、ブレードアセンブリ２８を図９と同じ位置に回転させた状態で、バリカン１０を右手に握ることによって、後頭部の毛を刈り取る使用者自身が示されている。
【００２２】
図８〜図１０は、本発明の好適な方法の実施形態の一部を示している。この実施形態において、ブレードセット１６は、調髪すべき髪の房に対して特定の角度に位置している。さらに、髪の房は、ブレードセット１６のカッティングゾーン「Ｚ」の方にガイドされて、該カッティングゾーン「Ｚ」内に保持される。図８〜図１０に示すように、転位コンポーネント２２によってハンドル１４から横方向に転位されている回転可能なブレードアセンブリ２８上のブレードセット１６の取付けは、ブレードセット１６のカッティングライン「Ｌ」の位置決めを、ハンドル１４の軸に概して平行に向けることができるようにする。このことはまた、使用者自身が、バリカン１０を保持して、尺骨ずれとして知られる不便な角度で手首を横に曲げるのとは対照的に、手首及び前腕部を単によじりまたは下向きにし、上に向けることにより、調髪すべき髪に対して特定のアタック角度に、ブレードセット１６を位置させることができるようにする。該バリカンまたはブレードセット１６の頭部に対する特定のアタック角度が、調髪すべき毛に対して実質的に直角である場合には、ブレードセット１６に呈示される調髪すべき髪の断面は、実質的に最小化され、上述した刻み目がつけられる問題及び部分的にカッティングされる問題が低減される。髪のガイド及び保持は、カットすべき毛をガイドして保持するように構成されている、ブレードセット１６、可動ブレード歯５２及び静止ブレード歯５０によって実行される。
【００２３】
使用者自身は、頭部に対する上記トリマーまたはブレードセット１６のこの特定のアタック角度を、調髪すべき髪に対して実質的に直角に適用すると共に、上述したように１８０°離れた２つの好適な位置のうちの一方にブレードアセンブリ２６を回転させる手段によって、トリマー１０をどちらかの手に保持してもよい。ブレードアセンブリ２６のそれらの位置のうちの一方は、右手での使用に適しており、また他方の位置は、左手での使用に適している。使用者自身は、一方の位置に回転されたブレードアセンブリ２６によって、頭部の一方の側の髪を調髪した後、ブレードアセンブリ２６を他方の位置へ回転させて、他方の手でトリマー１０をつかみ、頭の反対側の髪を調髪するためにトリマー１０を使用してもよい。どちらかの手において、ブレードセット１６は、上記アタック角度で配置可能である。使用者自身の後頭部の髪は、ブレードアセンブリ２６を、選択された手に対して適切な位置に回転させた状態で、どちらかの手にトリマー１０を保持して調髪することができる。トリマー１０は、必要に応じて、片手で保持できるように、また、上記ブレードアセンブリを、上記好適な位置のうちの一方または他方に回転させた状態で、頭部のどちらかの側または後頭部の髪を、調髪すべき毛に対して実質的に直角な、頭部に対するトリマー１０またはブレードセット１６のアタック角度で調髪できるように構成されている。ブレードセット１６の回転位置にかかわらず、歯５０、５２の構造は、トリマー１０を、はっきりと形成された刈り跡を髪に生じることなく、ブラッシング動作において繰り返し髪をすくことができるようになっている。
【００２４】
次いで、図１１及び１２について説明すると、トリマー１０の代替の実施形態が符号７２で示されている。トリマー１０とトリマー７２とで共用される構成要素は、同じ参照数字で示している。トリマー１０とトリマー７２との主要な違いは、トリマー７２が、一人の人が他人の髪をカットするためにデザインされていることである。
【００２５】
トリマー７２の構造、特にトリマー７２のハンドル７４の構造は、該ハンドルが、使用者のいずれかの手によってつかまれるような形状に形成されており、該ブレードセットは、転位コンポーネント７６によって、ハンドル７４の軸から転位しており、カッティングライン「Ｌ」は、ハンドル７４の軸と概して直角である。この構造は、他人の髪をカッティングする人が、一方の手または他方の手にトリマー７２を保持し、該トリマーを、多数の可能な位置のうちの一つに位置させて、該他人の頭部のいずれかの部位でカットすべき髪の房に対するブレードセット１６の所望のアタック角度を実現できるようにする。該使用者の手の結果として生じる動きは、人間工学的にストレスが少なく、また、手首及び前腕部を下向きにしたり上に向けたりするようなより自然な動きを要するのみである。この構造の場合、従来技術によるトリマーの尺骨ずれという欠点が避けられる。
【００２６】
本発明は、セルフカッティング用のヘアトリマーとして提供される場合、上記ブレードセットのアタック角度が、頭部の全ての領域でカットされるべき毛に対して実質的に直角になるように、使用者自身によって保持可能であり、従来のヘアトリマーに対しての改善が行われている。従来のセルフカッティング用ヘアトリマーによって生じる、毛に刻み目がつけられる程度および／または毛が部分的にカッティングされる程度の低減、および上記ブレードセットのカッティングゾーンへの髪のより有効なガイド及び該ゾーン内での髪の保持は、本発明によってもたらされる。セルフカッティング用ヘアトリマーあるいは他人に対して使用するトリマーとして構成された場合、本発明は、人間工学的に快適な方法で調髪を容易にする。
【００２７】
セルフカッティング用ヘアトリマーの特定の実施形態を本願明細書において説明してきたが、当業者には、その広範な態様において及び特許請求の範囲に記載したように、本発明から逸脱することなく、変形例及び変更例が可能であることが認識されよう。
【図面の簡単な説明】
【００２８】
【図１】本発明のヘアトリマーの上部斜視図である。
【図２】図１のヘアトリマーの側面図である。
【図３】図１のヘアトリマーの断面斜視図である。
【図４】第２の回転位置を仮想線で示した状態で第１の回転位置を示した、図１のヘアトリマーの上面図である。
【図５】図６の線５−５の図示の方向の断面図である。
【図６】図５のブレードセットの平面図である。
【図７】図６のブレードセットの部分拡大図である。
【図８】本発明のヘアトリマーを、図４の第１の回転位置に示し、使用者自身の左手に保持した状態の図１のヘアトリマーの使用者自身の頭の左側の前面図である。
【図９】本発明のヘアトリマーを、図４の第２の回転位置に示し、使用者自身の右手に保持した状態の図１のヘアトリマーの使用者自身の頭の右側の前面図である。
【図１０】本発明のヘアトリマーを、図４の第１の回転位置に示し、使用者自身の右手に保持した状態の図１のヘアトリマーの使用者自身の頭の後部の前面図である。
【図１１】本発明のヘアトリマーの代替の実施形態の前面斜視図である。
【図１２】図１１のトリマーの側面図である。
【符号の説明】
【００２９】
１０  ヘアトリマー
１２  ハウジング
１４  ハンドル
１６  ブレードセット
２０  可動ブレード
２２  転位コンポーネント
２８  ブレードアセンブリ
【図１】
2005144166.tif 000003
【図２】
2005144166.tif 000004
【図３】
2005144166.tif 000005
【図４】
2005144166.tif 000006
【図５】
2005144166.tif 000007
【図６】
2005144166.tif 000008
【図７】
2005144166.tif 000009
【図８】
2005144166.tif 000010
【図９】
2005144166.tif 000011
【図１０】
2005144166.tif 000012
【図１１】
2005144166.tif 000013
【図１２】
2005144166.tif 000014